(57)【要約】【課題】他の商品と触れても熱収縮性フィルムによる包装が破損されることなく、また、容易に且つ安全に開封できる包装材を提供する。【解決手段】本発明では、被包装物１を包装する熱収縮性フィルム２の表裏面の少なくとも一方に、非熱収縮性フィルム材よりなる補強用テープ３を貼り付けて重合部４を形成したうえ、該重合部４を横断する切込５を設ける。また、切込５の両端に重合部４の両側に沿った延長切込部５１を設けて門形としてもよい。【選択図】  図１
2009154922.tif 000002
【特許請求の範囲】
【請求項１】
被包装物を包装する熱収縮性フィルムの表裏面の少なくとも一方に、非熱収縮性フィルム材よりなる補強用テープを貼り付けた重合部を形成したうえ、該重合部を横断する切込を設けたことを特徴とする包装材。
【請求項２】
切込の両端に重合部の両側に沿った延長切込部を設けて門形とした請求項１に記載の包装材。
【請求項３】
切込と延長切込部との間に連結部を残した請求項２に記載の包装材。
【請求項４】
非熱収縮性フィルム材よりなる補強用テープがセロハン又はポリエチレンテフタレートよりなるものである請求項１又は２又は３の何れかに記載の包装材。
【請求項５】
熱収縮性フィルムの表裏面のうち裏面に、非熱収縮性フィルム材よりなる補強用テープを貼り付けて重合部とした請求項１又は２又は３又４の何れかに記載の包装材。
【請求項６】
熱収縮性フィルムの表裏面のうち表面に、非熱収縮性フィルム材よりなる補強用テープを貼り付けて重合部とした請求項１又は２又は３又４の何れかに記載の包装材。
【請求項７】
熱収縮性フィルムの表裏面の両面に、非熱収縮性フィルム材よりなる補強用テープを貼り付けて重合部とした請求項１又は２又は３又４の何れかに記載の包装材。
【発明の詳細な説明】
【技術分野】
【０００１】
本発明は、被包装物を包装している熱収縮性フィルムを容易に開封することができる包装材に関するものである。
【背景技術】
【０００２】
熱収縮性フィルムを利用した包装材は、一度開封すれば元通りの包装状態に戻すことができないことから、商品が未使用であることの保証、商品への悪戯防止の観点からセルフサービスの売り場で陳列販売する商品の包装に広く使用されている。
【０００３】
しかし、このような熱収縮性フィルムを利用した包装材は被包装物に密着しているため開封が容易でないものであった。そこで、開封を容易とするため、従来は熱収縮性フィルムの裏面にカットテープを張り渡して融着して該カットテープの開封用耳片を突出させて、開封用耳片を引っ張ることによりカットテープで熱収縮性フィルムを引き裂くものが採用されていた（特許文献１，２参照）。ところが、これは開封用耳片が突出しているため陳列棚に重ねて展示した場合に陳列作業や棚から下ろす際に開封用耳片が他の商品と触れてカットテープが引っ張られて熱収縮性フィルムを引き裂いて包装が破損されて商品価値を損なうという問題がある。
【特許文献１】特開平８−２８２７３２公開特許公報
【特許文献２】特開平９−２４９７０公開特許公報
【発明の開示】
【発明が解決しようとする課題】
【０００４】
本発明は前記のような従来の問題点を解決して、陳列作業や棚から下ろす際に他の商品と触れても熱収縮性フィルムによる包装が破損されることなく、また、容易に且つ安全に開封できる包装材を提供するものである。
【課題を解決するための手段】
【０００５】
本発明の包装材は、被包装物を包装する熱収縮性フィルムの表裏面の少なくとも一方に、非熱収縮性フィルム材よりなる補強用テープを貼り付けた重合部を形成したうえ、該重合部を横断する切込を設けたことを特徴とするものを基本の発明とする。
【０００６】
そして、前記発明において、切込の両端に重合部の両側に沿った延長切込部を設けて門形とすることが好ましく。また、切込と延長切込部との間に連結部を残すことがさらに好ましいものである。また、非熱収縮性フィルム材よりなる補強用テープがセロハン又はポリエチレンテフタレートよりなるものとすることが好ましい。
【０００７】
さらに、熱収縮性フィルムの表裏面のうち裏面に、非熱収縮性フィルム材よりなる補強用テープを貼り付けて重合部としても、また、熱収縮性フィルムの表裏面のうち表面に、非熱収縮性フィルム材よりなる補強用テープを貼り付けて重合部としても、また、熱収縮性フィルムの表裏面の両面に、非熱収縮性フィルム材よりなる補強用テープを貼り付けて重合部としてもよい。
【発明の効果】
【０００８】
本発明の包装材は、被包装物を包装する熱収縮性フィルムの表裏面の少なくと一方に、非熱収縮性フィルム材よりなる補強用テープを貼り付けた重合部を形成したうえ、該重合部を横断する切込を設けたものであるが、切込を設けた重合部は熱収縮性フィルムに非熱収縮性フィルム材よりなる補強用テープを貼り付けたものであるから、被包装物を収納後に熱収縮させても収縮することがないので切込は広がることがなく、この切込に他物が引っ掛かり裂ける虞がないので、商品の陳列や取り出しの際に包装が破損して商品価値を損なうことがないものである。
【０００９】
そうして、開封する際には、重合部の表面を指で押圧しながら引けば、指と重合部の間に摩擦力が働き切込を起点に摺動して強度のある重合部とその境が切り裂かれて重合部の幅で熱収縮性フィルムを剥がしていくこととなるので熱収縮性フィルムを容易に除去して開封できるものである。
【００１０】
また、切込の両端に重合部の両側に沿った延長切込部を設けて門形としておけば、重合部の表面を指で押圧して切込を起点に摺動させて重合部の幅で熱収縮性フィルムを剥がす際に延長切込部に案内されて容易に切り裂かれて剥離することができる。
【００１１】
また、切込と延長切込部との間に連結部を残したものとすると、重合部の表面を指で押圧して切込を起点に摺動させて重合部の幅で熱収縮性フィルムを剥がす際に連結部が容易に切り裂かれたうえ延長切込部に案内されて容易に切り裂かれて剥離することができる。この場合において切込と延長切込部との間に連結部を残しているので、重合部が切込から外側に反り飛び出ることがないものである。
【００１２】
さらに、非熱収縮性フィルム材よりなる補強用テープをセロハン又はポリエチレンテフタレートよりなるものとすると、これらは印刷性に優れているので、着色したり注意書を印刷して剥離箇所を容易に表示できるものである。また、これらは摩擦抵抗が強いので熱収縮性フィルムの表面に貼り付けた場合に開封時には補強用テープを指で押圧することとなるので、指が滑ることなく補強用テープに密着して熱収縮性フィルムを剥がすことがきるものである。
【００１３】
また、熱収縮性フィルムの表裏面のうち裏面に、非熱収縮性フィルム材よりなる補強用テープを貼り付けて重合部としたものは、補強用テープが露出していないので貼り付け強さが小さくて済むものである。また。熱収縮性フィルムの表裏面のうち表面に、非熱収縮性フィルム材よりなる補強用テープを貼り付けて重合部としたものは、開封時には補強用テープを指で押圧することとなるので、指が滑ることなく補強用テープに密着して熱収縮性フィルムを剥がすことがきるものである。また、熱収縮性フィルムの表裏面の両面に、非熱収縮性フィルム材よりなる補強用テープを貼り付けて重合部としたものは、重合部の強度がより増して重合部とその境が容易に切り裂かれるものである。
【発明を実施するための最良の形態】
【００１４】
次に、本発明の好ましい実施の形態を図面に基づき説明する。
図１において、１はカップ形状包装体に収納したインスタントカップ麺である被包装物である。２は前記被包装物１を包装する熱収縮性フィルムであり、該熱収縮性フィルム２の両面には非熱収縮性フィルム材よりなる補強用テープ３、３を貼り付けた重合部４を形成して、該重合部４には幅方向に横断させた切込５が設けらている。なお、前記した熱収縮性フィルムはポリエチレンフィルム、ポリエステルフィルム等が代表的なものであるが、ポリエチレンにポリプロピレンを混ぜ合わせてフィルムとしたストレッチシュリンクフィルムと通称されているものであってもよい。
【００１５】
前記切込５は図１に示すものは、切込５の両端に重合部４の両側に沿って設けた延長切込部５１、５１との間に連結部５ａを残して門形としたものが最も好ましいものである。しかしながら、切込５を連結部５ａを残さず図５に示す門形としても、図６に示す延長切込部５１、５１の無い重合部４の幅方向の両端に達するのみの横断させた切込５なるものとしてもよい。
【００１６】
さらに、前記非熱収縮性フィルム材よりなる補強用テープ３は非熱収縮性のものであればどのような材質のものであってよいがセロハン又はポリエチレンテフタレートよりなるものとすることが好ましい。なお、被包装物１は図１に示すものはカップ形状包装体に収納したインスタントカップ麺であるがこれに限らず、インスタント味噌汁、カップ入り惣菜や図７に示すトレー６入りの弁当類は勿論のこと熱収縮性フィルムにより包装できるものであればハードケース入りＣＤ、ＤＶＤ等を初め何であってもよいものである。
【００１７】
このように構成されたものは、被包装物１を包装する熱収縮性フィルム２の一部の両面に、非熱収縮性フィルム材よりなる補強用テープ３、３を貼り付け重合部４を形成して、該重合部４を横断する切込５を設けたものであるが、切込５を設けた重合部４は補強用テープ３、３が熱収縮性フィルム２のように被包装物１を収納後に熱収縮させても収縮しないので切込５は広がることがなく、この切込５に他物が引っ掛かり切込５から裂けて包装を破損して商品価値を下げる虞のないものである。
【００１８】
そうして、このこような包装を開封するには、重合部４の表面を指で押圧しながら擦れば、指と重合部４の間に摩擦力が働き重合部４が切込５を起点に摺動して強度のある重合部４とその境が切り裂かれて重合部４の幅で熱収縮性フィルム２を剥がしていくのでこの剥がれた部分を摘み代として手指で摘んで引き裂けば熱収縮性フィルム２を容易に除去して開封できるものである。
【００１９】
なお、図１に示すように、切込５の両端に重合部４の両側に沿って設けた延長切込部５１、５１との間に連結部５ａを残して門形とすれば、重合部４の表面側に位置する補強用テープ３を指で押圧して擦すれば切込５の連結部５ａが切り裂かれて延長切込部５１、５１が連携されて摘み代が形成されるので、この摘み代を手指で摘んで引き裂けば容易に開封することができる。この場合において切込５の両端に重合部４の両側に沿って設けた延長切込部５１、５１との間に連結部５ａを残して門形としているので、重合部４が外側に反り飛び出ることが全くなく、切込５に他物が引っ掛かり切込５から裂けて包装を破損して商品価値を下げる虞のないものである。
【００２０】
また、被包装物１がトレー６入りの弁当類で電子レンジにより加熱するものであれば、熱収縮性フィルム２はさらに収縮して、この収縮により切込５の連結部５ａが切り裂かれて延長切込部５１、５１が連携されて摘み代が形成されることとなり、重合部４の表面側に位置する補強用テープ３を指で押圧して擦する必要がないものである。
【００２１】
また、切込５を連結部５ａを残さず図５に示す一連のＵ字の門形としたものにあっても、重合部４の表面側に位置する補強用テープ３を指で押圧して切込５を起点に摺動させて重合部３の幅で熱収縮性フィルム２を剥がす際に延長切込部５１、５１に案内されて容易に切り裂かれて剥離することができる。この場合においても熱収縮性フィルム２の両面を補強用テープ３、３で貼着しているので重合部４が門形の切込５から外側に反り飛び出ることがないものである。
【００２２】
また、切込５に延長切込部５１、５１を設けず重合部を横断するだけの切込であってもよい。この場合に重合部４が切込５から外側に反り飛び出ることがないものである。
【００２３】
さらに、非熱収縮性フィルム材よりなる補強用テープ３をセロハン又はポリエチレンテフタレートよりなるものとすると、これらは印刷性に優れているので、着色したり注意書を印刷して剥離箇所を容易に表示できるものである。また、これらは摩擦抵抗が強いので熱収縮性フィルム２の表面に貼り付けた場合に開封時には補強用テープ３を指で擦ることとなるので、指が滑ることなく補強用テープ３に密着して熱収縮性フィルム２を剥がすことがきるものである。補強用テープ３をセロハン又はポリエチレンテフタレートよりなるものとすると、これらは摩擦抵抗が強いので補強用テープ３を指で押圧しながら引く際に指が滑ることなく補強用テープ３に引っかかり熱収縮性フィルム２を剥がすことがきるものである。
【００２４】
なお、前記実施形態は熱収縮性フィルム２の表裏面の両面に、非熱収縮性フィルム材よりなる補強用テープ３、３を貼り付けて重合部４とした、重合部４の強度がより増して重合部４とその境が容易に切り裂かれるものについて説明した。
【００２５】
しかしながら、これに限ることなく熱収縮性フィルム２の表裏面のうち裏面に、非熱収縮性フィルム材よりなる補強用テープ３を貼り付けて重合部４として、補強用テープ３が露出せず貼り付け強さが小さくて済むものであってもよい。また、熱収縮性フィルム２の表裏面のうち表面に、非熱収縮性フィルム材よりなる補強用テープ３を貼り付けて重合部４として、開封時には直接補強用テープ３を指で擦り熱収縮性フィルムを剥がすものとしてもよいものである。
【図面の簡単な説明】
【００２６】
【図１】本発明の実施形態を示す一部切欠斜視図である。
【図２】本発明の実施形態の要部を示す斜視図である。
【図３】本発明の実施形態の要部を示す断面図である。
【図４】本発明の実施形態の開封過程を示す斜視図である。
【図５】本発明の実施形態の切込の他例を示す正面図である。
【図６】本発明の実施形態の切込の他例を示す正面図である。
【図７】本発明の実施形態の他例を示す一部切欠斜視図である。
【符号の説明】
【００２７】
１  被包装物
２  熱収縮性フィルム
３  補強用テープ
４  重合部
５  切込
51  延長切込部
【図１】
2009154922.tif 000003
【図２】
2009154922.tif 000004
【図３】
2009154922.tif 000005
【図４】
2009154922.tif 000006
【図５】
2009154922.tif 000007
【図６】
2009154922.tif 000008
【図７】
2009154922.tif 000009